【手続補正書】
【提出日】平成17年7月5日(2005.7.5)
【手続補正１】
【補正対象書類名】明細書
【補正対象項目名】請求項１
【補正方法】変更
【補正の内容】
【請求項１】
被写体を撮影する撮影手段と、
前記撮影手段により撮影された映像と外部から受信した外部映像を共通の表示画面上に表示可能な表示手段と、
前記撮影手段及び前記表示手段の少なくともいずれか１つの位置を変更させる可動手段と、
前記撮影手段により撮影を行なうとともに、前記外部映像の受信を行なっている場合に、前記撮影手段と前記表示手段との相対位置関係に応じて前記表示手段で表示する映像を切り替える表示制御手段とを備えたことを特徴とする電子機器。
【手続補正２】
【補正対象書類名】明細書
【補正対象項目名】請求項７
【補正方法】変更
【補正の内容】
【請求項７】
被写体を撮影する撮影手段と、
外部からの映像信号の受信が可能な受信手段と、
前記撮影手段により撮影した撮影映像と、前記受信手段により受信した受信映像を共通の表示画面上に表示可能で、少なくともその動作の一部に回転動作を含んで前記表示画面の向きを変更可能な表示手段と、
前記撮影手段により撮影を行なうとともに、前記受信手段で外部から前記映像信号の受信を行っている場合に、前記表示画面の向きに応じて前記表示手段で表示する映像を切り替える表示制御手段とを備えたことを特徴とする撮像装置。
【手続補正３】
【補正対象書類名】明細書
【補正対象項目名】請求項８
【補正方法】変更
【補正の内容】
【請求項８】
請求項７において、前記表示手段はヒンジを用いて少なくとも本体の一部を軸にして回転動作を行い、前記表示画面の向きを変更することを特徴とする撮像装置。
【手続補正４】
【補正対象書類名】明細書
【補正対象項目名】請求項９
【補正方法】変更
【補正の内容】
【請求項９】
請求項７において、前記表示制御手段は、前記表示手段の表示画面の向きと前記撮影手段の撮影方向とが一致すると判断されたときは、前記表示手段に前記受信映像を表示し、前記表示手段の表示画面の向きと前記撮影手段の撮影方向とが一致しないと判断されたときは、前記表示手段に前記撮影映像を表示することを特徴とする撮像装置。
【手続補正５】
【補正対象書類名】明細書
【補正対象項目名】請求項１０
【補正方法】変更
【補正の内容】
【請求項１０】
請求項９において、前記表示制御手段は、前記表示手段の表示画面の向きと前記撮影手段の撮影方向とが一致すると判断されたときは、前記表示手段に前記受信映像を主として表示し、かつ前記撮影映像を副として表示し、前記表示手段の表示画面の向きと前記撮影手段の撮影方向とが一致しないと判断されたときは、前記表示手段に前記撮影映像を主として表示し、かつ前記受信映像を副として表示することを特徴とする撮像装置。
【手続補正６】
【補正対象書類名】明細書
【補正対象項目名】請求項１６
【補正方法】変更
【補正の内容】
【請求項１６】
被写体を撮影し、少なくともその動作の一部に回転動作を含んで撮影方向を変更可能な撮影手段と、
外部と映像信号及び音声信号の送受信が可能な送受信手段と、
前記撮影手段により撮影した撮影映像と、前記送受信手段により受信した受信映像を共通の表示画面上に表示可能な表示手段と、
前記撮影手段により撮影を行なうとともに、前記送受信手段で外部と映像信号及び音声信号の送受信を行っている場合に、前記撮影手段の撮影方向に応じて前記表示手段で表示する映像を切り替える表示制御手段とを備えたことを特徴とする携帯通信機器。
【手続補正７】
【補正対象書類名】明細書
【補正対象項目名】請求項１８
【補正方法】変更
【補正の内容】
【請求項１８】
請求項１６において、前記表示制御手段は、前記表示手段の表示画面の向きと前記撮影手段の撮影方向とが一致すると判断されたときは、前記表示手段に前記受信映像を表示し、前記表示手段の表示画面の向きと前記撮影手段の撮影方向とが一致しないと判断されたときは、前記表示手段に前記撮影映像を表示することを特徴とする携帯通信機器。
【手続補正８】
【補正対象書類名】明細書
【補正対象項目名】請求項１９
【補正方法】変更
【補正の内容】
【請求項１９】
請求項１８において、前記表示制御手段は、前記表示手段の表示画面の向きと前記撮影手段の撮影方向とが一致すると判断されたときは、前記表示手段に前記受信映像を主として表示し、かつ前記撮影映像を副として表示し、前記表示手段の表示画面の向きと前記撮影手段の撮影方向とが一致しないと判断されたときは、前記表示手段に前記撮影映像を主として表示し、かつ前記受信映像を副として表示することを特徴とする携帯通信機器。
【手続補正９】
【補正対象書類名】明細書
【補正対象項目名】請求項２１
【補正方法】変更
【補正の内容】
【請求項２１】
撮像装置を用いて被写体を撮影する撮影工程と、
外部から映像信号を受信する受信工程と、
前記撮影工程で撮影された撮影映像と、前記受信工程で外部から受信した外部映像を表示装置における共通の表示画面上に表示する表示工程と、
前記撮影工程で撮影を行なうとともに、前記受信工程で前記外部映像の受信を行なっている場合に、前記撮像装置の撮影方向と前記表示装置の表示方向との相対的な位置関係に応じて、前記表示工程で表示する映像を切り替える制御工程とを有することを特徴とする映像の表示制御方法。
【手続補正１０】
【補正対象書類名】明細書
【補正対象項目名】０００８
【補正方法】変更
【補正の内容】
【０００８】
本発明の電子機器は、被写体を撮影する撮影手段と、前記撮影手段により撮影された映像と外部から受信した外部映像を共通の表示画面上に表示可能な表示手段と、前記撮影手段及び前記表示手段の少なくともいずれか１つの位置を変更させる可動手段と、前記撮影手段により撮影を行なうとともに、前記外部映像の受信を行なっている場合に、前記撮影手段と前記表示手段との相対位置関係に応じて前記表示手段で表示する映像を切り替える表示制御手段とを備えたことを特徴とする。
【手続補正１１】
【補正対象書類名】明細書
【補正対象項目名】０００９
【補正方法】変更
【補正の内容】
【０００９】
また、本発明の撮像装置は、被写体を撮影する撮影手段と、外部からの映像信号の受信が可能な受信手段と、前記撮影手段により撮影した撮影映像と、前記受信手段により受信した受信映像を共通の表示画面上に表示可能で、少なくともその動作の一部に回転動作を含んで前記表示画面の向きを変更可能な表示手段と、前記撮影手段により撮影を行なうとともに、前記受信手段で外部から前記映像信号の受信を行っている場合に、前記表示画面の向きに応じて前記表示手段で表示する映像を切り替える表示制御手段とを備えたことを特徴とする。
【手続補正１２】
【補正対象書類名】明細書
【補正対象項目名】００１０
【補正方法】変更
【補正の内容】
【００１０】
また、本発明の携帯通信機器は、被写体を撮影し、少なくともその動作の一部に回転動作を含んで撮影方向を変更可能な撮影手段と、外部と映像信号及び音声信号の送受信が可能な送受信手段と、前記撮影手段により撮影した撮影映像と、前記送受信手段により受信した受信映像を共通の表示画面上に表示可能な表示手段と、前記撮影手段により撮影を行なうとともに、前記送受信手段で外部と映像信号及び音声信号の送受信を行っている場合に、前記撮影手段の撮影方向に応じて前記表示手段で表示する映像を切り替える表示制御手段とを備えたことを特徴とする。
【手続補正１３】
【補正対象書類名】明細書
【補正対象項目名】００１１
【補正方法】変更
【補正の内容】
【００１１】
また、本発明の映像の表示制御方法は、撮像装置を用いて被写体を撮影する撮影工程と、外部から映像信号を受信する受信工程と、前記撮影工程で撮影された撮影映像と、前記受信工程で外部から受信した外部映像を表示装置における共通の表示画面上に表示する表示工程と、前記撮影工程で撮影を行なうとともに、前記受信工程で前記外部映像の受信を行なっている場合に、前記撮像装置の撮影方向と前記表示装置の表示方向との相対的な位置関係に応じて、前記表示工程で表示する映像を切り替える制御工程とを有することを特徴とする。